【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
ライセンスサーバと通信する画像形成装置であって、
前記ライセンスサーバは、アプリケーションを保持するとともに、前記アプリケーションのライセンスを発行し、
前記ライセンスは第１および第２のライセンスを含み、前記第２のライセンスは、前記画像形成装置における前記アプリケーションの契約期間を示す情報を有し、前記第１のライセンスは、前記契約期間の前に前記アプリケーションを前記画像形成装置における設定のために利用可能とする利用期間を示す情報を有し、
前記画像形成装置は、
前記ライセンスサーバより前記アプリケーションと前記ライセンスを受信し、保持する保持手段と、
前記保持手段に保持されている前記ライセンスが前記第１のライセンスの場合に、現在の日付が前記利用期間の間であれば、前記アプリケーションを前記利用期間において利用可能とし、現在の日付が前記利用期間を超えていれば、前記ライセンスサーバから前記第２のライセンスを取得して前記保持手段に保持させる制御手段を備え、
前記制御手段は、前記保持手段に保持されている前記ライセンスが前記第２のライセンスの場合に、前記アプリケーションを前記契約期間において利用可能とすることを特徴とする画像形成装置。
【請求項２】
前記第１のライセンスは複数の画像形成装置に対してインストール可能であることを特徴とする、請求項１に記載の画像形成装置。
【請求項３】
前記第２のライセンスは特定の識別子を有する画像形成装置にのみインストール可能であることを特徴とする、請求項１または２に記載の画像形成装置。
【請求項４】
画像形成装置と通信するライセンスサーバであって、
アプリケーションを保持する保持手段と、
第１および第２のライセンスを発行するライセンス発行手段を有し、
前記第２のライセンスは、前記画像形成装置における前記アプリケーションの契約期間を示す情報を有し、前記第１のライセンスは、前記契約期間の前に前記アプリケーションを前記画像形成装置における設定のために利用可能とする利用期間を示す情報を有し、
さらに、前記ライセンスサーバは、
前記保持手段により保持される前記アプリケーションと、前記ライセンス発行手段により発行される前記第１または第２のライセンスを前記画像形成装置に送信する送信手段を有し、
前記送信手段は、前記アプリケーションの識別子を含む前記画像形成装置からの要求に応答して、前記ライセンス発行手段により発行される前記第１のライセンスを前記画像形成装置に送信し、前記画像形成装置の識別子を含む前記画像形成装置からの要求に応答して、前記ライセンス発行手段により発行される前記第２のライセンスを前記画像形成装置に送信することを特徴とするライセンスサーバ。
【請求項５】
前記送信手段は、前記画像形成装置から前記第１のライセンスの要求があった場合に、現在の日付が前記アプリケーションの前記契約期間に入っていれば、前記ライセンス発行手段により発行される前記第２のライセンスを前記画像形成装置に送信することを特徴とする、請求項４に記載のライセンスサーバ。
【請求項６】
前記第１のライセンスは複数の画像形成装置に対してインストール可能であることを特徴とする、請求項４または５に記載のライセンスサーバ。
【請求項７】
前記第２のライセンスは特定の識別子を有する画像形成装置にのみインストール可能であることを特徴とする、請求項４〜６のいずれか１項に記載のライセンスサーバ。
【請求項８】
ライセンスサーバと画像形成装置を有するライセンス管理システムであって、
前記ライセンスサーバは、
アプリケーションを保持する保持手段と、
第１および第２のライセンスを含むライセンスを発行するライセンス発行手段を有し、
前記第２のライセンスは、前記画像形成装置における前記アプリケーションの契約期間を示す情報を有し、前記第１のライセンスは、前記契約期間の前に前記アプリケーションを前記画像形成装置における設定のために利用可能とする利用期間を示す情報を有し、
さらに、前記ライセンスサーバは、
前記保持手段により保持される前記アプリケーションと、前記ライセンス発行手段により発行される前記ライセンスを前記画像形成装置に送信する送信手段を有し、
前記送信手段は、前記アプリケーションの識別子を含む前記画像形成装置からの要求に応答して、前記ライセンス発行手段により発行される前記第１のライセンスを前記画像形成装置に送信し、前記画像形成装置の識別子を含む前記画像形成装置からの要求に応答して、前記ライセンス発行手段により発行される前記第２のライセンスを前記画像形成装置に送信し、
前記画像形成装置は、
前記ライセンスサーバより受信した前記ライセンスが前記第１のライセンスの場合に、現在の日付が前記利用期間の間であれば、前記アプリケーションを前記利用期間において利用可能とし、現在の日付が前記利用期間を超えていれば、前記ライセンスサーバから前記第２のライセンスを取得する制御手段を備え、
前記制御手段は、前記ライセンスサーバより受信した前記ライセンスが前記第２のライセンスの場合に、前記アプリケーションを前記契約期間において利用可能とすることを特徴とするライセンス管理システム。
【請求項９】
前記第１のライセンスは複数の画像形成装置に対してインストール可能であることを特徴とする、請求項８に記載のライセンス管理システム。
【請求項１０】
前記第２のライセンスは特定の識別子を有する画像形成装置にのみインストール可能であることを特徴とする、請求項８または９に記載のライセンス管理システム。
【請求項１１】
コンピュータを、請求項１〜３のいずれか１項に記載の画像形成装置に記載の各手段として機能させるためのプログラム。
【請求項１２】
コンピュータを、請求項４〜７のいずれか１項に記載のライセンスサーバに記載の各手段として機能させるためのプログラム。
【請求項１３】
コンピュータを、請求項８〜１０のいずれか１項に記載のライセンス管理システムに記載の各手段として機能させるためのプログラム。
【請求項１４】
請求項１１〜１３のいずれか１項に記載のプログラムを記録したコンピュータ読み取り可能な記録媒体。
【請求項１５】
ライセンスサーバと通信する画像形成装置における画像形成方法であって、
前記ライセンスサーバは、アプリケーションを保持するとともに、前記アプリケーションのライセンスを発行し、
前記ライセンスは第１および第２のライセンスを含み、前記第２のライセンスは、前記画像形成装置における前記アプリケーションの契約期間を示す情報を有し、前記第１のライセンスは、前記契約期間の前に前記アプリケーションを前記画像形成装置における設定のために利用可能とする利用期間を示す情報を有し、
前記方法は、
前記ライセンスサーバより前記アプリケーションと前記ライセンスを受信し、保持する保持ステップと、
前記保持されている前記ライセンスが前記第１のライセンスの場合に、現在の日付が前記利用期間の間であれば、前記アプリケーションを前記利用期間において利用可能とし、現在の日付が前記利用期間を超えていれば、前記ライセンスサーバから前記第２のライセンスを取得して保持する制御ステップを備え、
前記制御ステップは、前記保持されている前記ライセンスが前記第２のライセンスの場合に、前記アプリケーションを前記契約期間において利用可能とすることを特徴とする画像形成方法。
【請求項１６】
画像形成装置と通信するライセンスサーバにおける制御方法であって、
アプリケーションを保持する保持ステップと、
第１および第２のライセンスを発行する発行ステップを有し、
前記第２のライセンスは、前記画像形成装置における前記アプリケーションの契約期間を示す情報を有し、前記第１のライセンスは、前記契約期間の前に前記アプリケーションを前記画像形成装置における設定のために利用可能とする利用期間を示す情報を有し、
さらに、前記方法は、
前記保持される前記アプリケーションと、前記発行される前記第１または第２のライセンスを前記画像形成装置に送信する送信ステップを有し、
前記送信ステップは、前記アプリケーションの識別子を含む前記画像形成装置からの要求に応答して、前記第１のライセンスを前記画像形成装置に送信し、前記画像形成装置の識別子を含む前記画像形成装置からの要求に応答して、前記第２のライセンスを前記画像形成装置に送信することを特徴とする制御方法。
【請求項１７】
ライセンスサーバと画像形成装置を有するライセンス管理システムにおける制御方法であって、
前記ライセンスサーバにおいて、アプリケーションを保持し、第１および第２のライセンスを含むライセンスを発行し、
前記第２のライセンスは、前記画像形成装置における前記アプリケーションの契約期間を示す情報を有し、前記第１のライセンスは、前記契約期間の前に前記アプリケーションを前記画像形成装置における設定のために利用可能とする利用期間を示す情報を有し、
さらに、前記ライセンスサーバにおいて、前記保持される前記アプリケーションと、前記発行される前記ライセンスを前記画像形成装置に送信し、前記送信の際に、前記アプリケーションの識別子を含む前記画像形成装置からの要求に応答して、前記第１のライセンスを前記画像形成装置に送信し、前記画像形成装置の識別子を含む前記画像形成装置からの要求に応答して、前記第２のライセンスを前記画像形成装置に送信し、
前記画像形成装置において、前記ライセンスサーバより受信した前記ライセンスが前記第１のライセンスの場合に、現在の日付が前記利用期間の間であれば、前記アプリケーションを前記利用期間において利用可能とし、現在の日付が前記利用期間を超えていれば、前記ライセンスサーバから前記第２のライセンスを取得し、前記ライセンスサーバより受信した前記ライセンスが前記第２のライセンスの場合に、前記アプリケーションを前記契約期間において利用可能とすることを特徴とする制御方法。